(57)【特許請求の範囲】
【請求項１】
テレビジョンシステムにおいてサービスを選択する方法であって、
（ａ）第２のサービスリストのサブセットであるよう第１のサービスリストを作成する段階と、
（ｂ）上記第２のサービスリストにもまた適用可能な所定の基準に応じて順序付けられる上記第１のサービスリストの少なくとも一部を表示する段階と、
（ｃ）上記第２のサービスリストにあって、上記第１のサービスリストにないサービスを選択する段階と、
（ｄ）上記選択されたサービスが上記第１のサービスリストの少なくとも表示された一部に含まれていた場合、上記第２のサービスリストにおいて選択されたサービスの、上記所定の基準に応じた上記第１のサービスリストの少なくとも表示された一部における位置を示す視覚インジケータを表示する段階とを含むことを特徴とする方法。
【請求項２】
上記第１のサービスリストからサービスを選択する段階を含み、
上記第１のサービスリストからサービスを選択する段階では、上記第１のサービスリストにおける１つのサービスから上記第１のサービスリストにおけるもう１つのサービスに、検索キーを使ってカーソルを動かし、上記カーソルによって指示されるサービスが選択されたサービスであることを特徴とする請求項１記載の方法。
【請求項３】
段階（ｃ）及び段階（ｄ）の後に、上記検索キーを作動させた場合に、上記視覚インジケータの直ぐ隣りにある上記第１のサービスリストにおけるサービスを選択する段階を含むことを特徴とする請求項２記載の方法。
【請求項４】
上記第１のサービスリストにはないサービスを選択する段階（ｃ）は、上記第１のサービスリストにないサービスの識別子を直接入力する段階、又は、アプリケーションによって上記第１のサービスリストに戻る段階を使って行われることを特徴とする請求項１乃至３のうちいずれか一項記載の方法。
【請求項５】
選択されたサービスの記述的エレメントを表示する段階を更に含み、上記記述的エレメントは、上記選択されたサービスを表すオーディオ及び／又はビデオストリームであることを特徴とする請求項１乃至４のうちいずれか一項記載の方法。
【請求項６】
上記第１のサービスリストにおけるサービスの順序は、以下に制限されないが、識別番号、アルファベット順、ユーザにより割当てられた順序、及び、視聴頻度に応じた順序のうち少なくとも１つの基準に依存することを特徴とする請求項１乃至５のうちいずれか一項記載の方法。
【請求項７】
上記視覚インジケータは、上記第１のサービスリストに差し込まれるバー、又は、矢印である請求項１乃至６のうちいずれか一項記載の方法。
【請求項８】
再生装置から利用可能な番組に関連付けられるサービスに関する情報を受信する手段を含む、オーディオビジュアル番組を再生する装置であって、
第１のサービスリストが第２のサービスリストのサブセットであるよう上記第１のサービスリスト及び上記第２のサービスリストを作成する手段と、
上記第２のサービスリストにもまた適用可能な所定の基準に応じて順序付けられる上記第１のサービスリストの少なくとも一部を表示する手段と、
上記第２のサービスリストにあって、上記第１のサービスリストに表示されていないサービスを選択する手段と、
上記選択されたサービスが上記第１のサービスリストの少なくとも表示された一部に含まれていた場合、上記第２のサービスリストにおいて選択されたサービスの、上記所定の基準に応じた上記第１のサービスリストの少なくとも表示された一部における位置を示す視覚インジケータを表示する手段とを含むことを特徴とする装置。
【発明の詳細な説明】
【０００１】
【発明の属する技術分野】
本発明は、オーディオビジュアルシステム、特に、デジタルテレビジョンシステムにおいてサービスを選択する方法に係る。
【０００２】
【従来の技術】
デジタルテレビジョンシステムにおいて、利用可能となるサービスの数は膨大なものとなってきている。数百ものサービスがユーザに利用可能となっている。従って、サービスの一覧を検索することは骨の折れる仕事となってきており、このことは、ユーザに１つ以上のお気に入りリストを作成し、最初の一覧から同数のサブセットを形成する機能が提供される理由である。そして、ユーザは、希望に応じてお気に入りリストを体系付け、複数のお気に入りリストのうちの１つを検索して、見たいサービスを選択することができる。しかし、所与のお気に入りリストを検索している間は、お気に入りリストにない特定のサービスにアクセスするには、リストを変更して、最終的に希望のサービスを選択するには幾らかの操作を行わなくてはならない。
【０００３】
特許文献１（THOMSON）には、イベントのリスト及び機能のリストを表示するＥＰＧが記載される。お気に入りリストを作成する機能によって、ユーザが１つのリストから別のリストに移動することが可能にされる。グラフィカルエレメントによって、サービスリストのエレメントと機能リストの間の視覚的な関連付けを作成することが可能にされる。
【０００４】
特許文献２（HARMS）には、お気に入りリストを作成する手段が教示される。画面上のウィンドウによって、お気に入りリストにあるサービスによって放送される様々なイベントを時間順に表示することが可能にされる。
【０００５】
「TV GUIDE ON SCREEN」なる名称の特許文献３には、オーディオビジュアルデータを受信するシステムが記載される。全てのサービス、又は、共通の特徴（例えば、トピック）を有するサービスのリストは、メニュに支援されて表示される。
【０００６】
特許文献４（YUEN）には、ウィンドウを表示する高機能ＥＰＧが記載され、ウィンドウには、選択し得るサービス／イベントのリスト、選択されたサービス／イベントに関する情報、選択されたサービス／イベントのビデオ画像（ＰＩＰ）、機能リスト（図１６、１７、・・・、３５参照）が示される。ユーザは、特定の基準に応じてサービス／番組のリストを作成することができる。
【０００７】
特許文献５（CROY）には、イベントのリスト及び機能のリストを表示するＥＰＧが教示される。方向指示キーによって、１つのリストから別のリストに移動することができる。例えば、ＥＰＧは、スクリーンの左側にエレメントのリスト（トピック、時間、局、キーワード等）を表示し、スクリーンの右側に（映画、スポーツ、娯楽、音楽等）を表示し、ユーザは、第１のリストからエレメントを選択し、その後、第２のリストからエレメントを選択することができる。
【０００８】
特許文献６（THOMSON）は、放送網及び有線通信網（インターネットタイプ）を介してサービス情報を受信する番組ガイドを教示する。番組ガイドは、サービスリスト（垂直方向）の形で番組の時間スケジュールを表示し、各サービスはこのサービスにより放送されるイベントの時間線に関連付けられる。
【０００９】
上に挙げた文書は使い勝手はよいが、ユーザが、第１のリストからいわゆるお気に入りリストである第２のリストに、この２つのリスト間のインタラクションを簡単に示すことにより、容易に移動する方法については触れていない。第２のリストのエレメントは、第１のリストに含まれていたものである。
【特許文献１】
欧州特許出願公開第８２２７１３号
【特許文献２】
米国特許第６７１５３６２号
【特許文献３】
国際公開番号ＷＯ９５／３２５８３
【特許文献４】
米国特許第６２３９７９４号
【特許文献５】
国際公開番号ＷＯ０１／３５６６４
【特許文献６】
国際公開番号ＷＯ００／７２５８１
【発明が解決しようとする課題】
本発明は、テレビジョンシステムにおいてサービスを選択する方法を提供することを目的とする。
【００１０】
本発明は更に、オーディオビジュアル番組を再生する装置であって、特に、その装置から利用可能な番組に関連するサービスに関する情報を受信する手段を含む、オーディオビジュアル番組を再生する装置を提供することを目的とする。
【００１１】
【課題を解決するための手段】
本発明の方法は、
（ａ）第２のサービスリストのサブセットであるよう第１のサービスリストを作成する段階と、
（ｂ）所定の基準に応じて順序付けられる第１のサービスリストの少なくとも一部を表示する段階と、
（ｃ）第２のサービスリストにあって、第１のサービスリストにないサービスを選択する段階と、
（ｄ）選択されたサービスの、所定の基準に応じた第１のサービスリストにおける相対位置を示す視覚インジケータを表示する段階とを含むことを特徴とする。
【００１２】
これにより、単純な方法で、表示されたリストにはないサービスをプレビューすることが容易となる。
【００１３】
特定の実施例によると、本発明の方法は、第１のサービスリストからサービスを選択する段階を含み、具体的には、第１のサービスリストにおける１つのサービスから第１のサービスリストにおけるもう１つのサービスに、検索キーを使ってカーソルを動かし、カーソルによって指示されるサービスが選択されることとなる。
【００１４】
特定の実施例によると、本発明の方法は、段階（ｃ）及び（ｄ）の後に、検索キーを作動させた場合に、視覚インジケータの直ぐ隣りの第１のサービスリストにおけるサービスを選択する段階を含む。
【００１５】
従って、直前まで第１のサービスリストにないサービスが選択されている場合でも、表示されている第１のサービスリストに容易に戻ることが可能となる。
【００１６】
特定の実施例によると、第１のサービスリストにないサービスを選択する段階（ｃ）は、以下の下位段階のうちの１つに支援されて行われる。即ち、第１のサービスリストにないサービスの識別子を直接入力する段階、及び、アプリケーションによって第１のサービスリストに戻る段階のうち１つの下位段階に支援されて行われる。
【００１７】
特定の実施例によると、本発明の方法は更に、選択されたサービスの記述的エレメントを表示する段階を含み、記述的エレメントとは、選択されたサービスを表すオーディオ及び／又はビデオストリームである。
【００１８】
特定の実施例によると、第１のサービスリストにおけるサービスの順序は、以下に制限されないが、以下の基準のうち少なくとも１つに依存する。即ち、識別番号、アルファベット順、ユーザにより割当てられた順序、視聴頻度に応じた順序がある。
【００１９】
特定の実施例によると、視覚インジケータは、第１のサービスリストに差し込まれるバー、又は、矢印である。
【００２０】
本発明の装置は、
第１のサービスリストが第２のサービスリストのサブセットであるよう第１のサービスリストと第２のサービスリストを作成する手段と、
所定の基準に応じて順序付けられる第１のサービスリストの少なくとも一部を表示する手段と、
第２のサービスリストにあって、第１のサービスリストに表示されていないサービスを選択する手段と、
選択されたサービスの、所定の基準に応じた第１のサービスリストにおける相対位置を示す視覚インジケータを表示する手段とを含むことを特徴とする。
【００２１】
本発明の他の特徴及び利点は、添付図面を参照しながら説明される本発明の例示的且つ非制限的な実施例によって明らかとなろう。
【００２２】
【発明の実施の形態】
本発明の例示的な実施例は、例えば、デジタル・ビデオ・ブロードキャスト（ＤＶＢ）タイプのデジタルテレビ放送システムの分野に関する。本発明はこの分野に限定されるものではなく、順序付けられたエレメントを有するリストがユーザに表示される他の環境にも使用され得る。
【００２３】
図１は、デジタルテレビジョンデコーダを示すブロック図である。図１に示すデコーダは、アンテナ１に接続され、アンテナ１はデコーダのチューナ２に接続される。チューナにより供給される信号は、復調器３により復調される。復調データは、補正回路４において補正され、デマルチプレクサ５に送られる。デマルチプレクサ５は、デコーダがサポートする様々なアプリケーションの作用として、マイクロプロセッサ２２によりプログラムされる幾つかのフィルタを含む。フィルタは、復調信号のパケットのヘッダー内にある識別情報と対応する。
【００２４】
デマルチプレクサによってフィルタリングされたオーディオ又はビデオセクション、又は、パケットは、これらのアプリケーションに留意するために、バッファメモリ６の所定の領域に格納される。必要である場合には、識別情報は、バッファメモリ６に格納される前に、ユーザの権利の機能として解読回路７によって最初に解読される。
【００２５】
本実施例では、５つのアプリケーションがあり、即ち、オーディオデコーダ１６、ビデオデコーダ１７、テレテキストデコーダ１８、アクセスコントロールアセンブリ（デクリプタ７、ベリファイアマイクロコントローラ８、及び、通常動作モードではマイクロプロセッサカード１０に接続されるマイクロプロセッサカード用インタフェース９）、及び、デコーダのメモリ１２に格納されるアプリケーションの形のユーザインタフェースモジュール２４がある。メモリ１２は更に、デコーダのオペレーティングシステム、更には、アプリケーションを実施するための常駐又はダウンロードしたプログラムを含む。配置を明瞭にするために、メモリ１２は単一のブロックの形で示すが、同時に、ランダムアクセスメモリ、読出し専用メモリ、及び、再プログラミング可能な不揮発性メモリ（例えば、「フラッシュ」タイプのもの）を含む。
【００２６】
デコーダは更に、リモートコントローラ１１用の赤外線インタフェース２３を含む。このインタフェース２３もマイクロプロセッサ２２に接続される。交換電話回線１４に接続されるモデム１３もマイクロプロセッサ２２により制御される。
【００２７】
文字生成部１５は、デコーダのパラメータ又は特定のアプリケーションに関する制御メニュ又はグラフィックを生成することを可能にする。この文字生成部により生成されるビデオ信号は、ビデオデコーダ１７又はテレテキストデコーダ１８からのビデオ信号の１つに多重化され、テレビ受像機２１に接続される第１のＳＣＡＲＴソケット、又は、ビデオレコーダ２０に接続される第２のＳＣＡＲＴソケットに送られる。多重化回路１９は、マイクロプロセッサ２２により管理される。
【００２８】
本発明はより具体的に、ユーザインタフェースアプリケーションの動作に関する。このユーザインタフェースは、電子番組ガイドサブアプリケーションを含む。このガイドは、ユーザが、ネットワーク上でブロードキャストされる現在及び将来のイベントを記述する情報にアクセスすることが可能にされる。この情報は、ネットワーク上でブロードキャストされるデータからも得られる。本実施例によると、これらのデータは、ＤＶＢサービスデータであり、これは、「EN 300 468 Digital Video Broadcasting; Specification for Service Information (SI) in DVB systems」により詳細に記載される。この文書は、ヨーロッパ電気通信規格研究所（ＥＴＳＩ）により発行された。これらのデータは、デコーダにより受信される多重化ストリームの中において、マイクロプロセッサ２２の制御下でデマルチプレクサ５により知られている方法でラベル付けされる識別子を持っているパケットで運ばれ、ユーザインタフェースアプリケーションにより使用するためにマイクロプロセッサ２２によってバッファメモリ６から回収される。電子番組ガイドに関連付けられるデータは、ストリームのオブジェクトを階層的な方法で記述する「表」として体系化づけられる。利用可能なサービスの記述は、特に、「ＳＤＴ」と名付けられた表から公知の方法で得られる。表の階層、及び、対応するパケットの識別子は、上述したＤＶＢ文書に記載される。様々な表を含むパケットを抽出するには、デマルチプレクサ５のフィルタが適切にプログラムされる。
【００２９】
図２は、図１に示す装置のユーザインタフェースにより生成される例示的な画面を示す簡易化された図であり、ここでは、「スポーツ」リストであるお気に入りリスト３０を表示している。特定のお気に入りリストへは、アプリケーションの画面の階層構造によりアクセスすることができる。
【００３０】
ユーザは、予めお気に入りリストを作成しているものとする。お気に入りリストは、トピックといった、サービスを記述する基準に則して利用可能なサービスのグローバルリストから自動的及び動的に作成されてもよい。幾つかのお気に入りリストが同時に存在し得る。
【００３１】
画面は更に、選択されたサービス３２を縮小して表示するウィンドウ３１を含み、選択されたサービスの名称は、例えば、選択されたサービス３２の名称を囲むボックス３３の色を変更することによって視覚的に強調される。ここでは、選択されたサービスの表示は、選択されたサービス自体のビデオ及びオーディオストリームから構成され得、ビデオの寸法は、サブサンプリングすることにより適切に縮小される。お気に入りリストのエレメントは、その識別番号に応じて小さい番号から順番に並べられる。識別番号は、ブロードキャスタによって前もって割当てられている。更に、ウィンドウ３４は追加情報（例えば、選択されたサービスにおいて現在放送されているイベントのタイトル及び要約）を表示する。選択されたサービスの識別番号と名称は、リマインダとしてウィンドウ３１内にはめ込まれて表示される。
【００３２】
ユーザは、リモートコントローラ上のアップ「↑」及びダウン「↓」方向指示キーを使ってお気に入りリストを検索することができる。お気に入りリストの一部しか表示されないので、ユーザがアップ及びダウンキーを使用するのに応じてお気に入りリストに割当てられた空間においてお気に入りリストがスクロールされる。垂直バー３５が部分リストと並んで置かれ、このバーはお気に入りリストの全体を表す。グラフィカルカーソル３６によって、現在画面においてお気に入りリストのどの部分が表示されているのかが示される。二重矢印３７、３８は、その方向において更にスクロールすることが可能であるかどうかを示す。
【００３３】
ユーザは、リモートコントローラの「ＯＫ」キーによってサービスをアクティブにすることにより全画面モードで選択されたサービスを見ることができる。
【００３４】
尚、お気に入りリストは、メインリストにおいても利用可能である基準、ここでは、サービスの識別番号に応じて順序付けられる。例えば、アルファベット順、ユーザにより選択された順序、任意の基準（例えば、次の映画の始まり、又は、特定の種類の送信の始まり）による優先順位、年代順（リストのコンテンツがこの順序にされる場合、これは例えば、イベントのリストが挙げられる）、過去の視聴時間に応じた順序といった他の順位法を使用してもよい。
【００３５】
図３の画面から分かるように、ユーザは、表示されているお気に入りリストの一部をなさないサービスをウィンドウ３１にて見ることができる。このことは、例えば、リモートコントローラのデジタルキーパッドを使って所望のサービスの識別番号を直接入力する（ユーザは一般的に頻繁に視聴するサービスの識別番号は暗記している）ことにより可能とされるか、又は、アプリケーション（例えば、ユーザインタフェースの番組ガイド、又は、ユーザがお気に入りリスト中のあるサービスを選択する又はアクティブにすることにより開始される別のアプリケーション）がそのサービスの識別番号をそこに送ることにより可能にされる。
【００３６】
お気に入りリストは、画面上に表示し続けられる。ユーザはほんの一瞬しかお気に入りリスト以外のサービスを選択せず、また、続けて自分のお気に入りリストの検索に戻ることを希望することが想定される。例示的な実施例には、表示されるサービスがお気に入りリストに対応しない状況の視覚的フィードバックを画面上に与えている。図３に示すように、この視覚的フィードバックは、マーカ、インジケータ、又は、視覚ポインタにより与えられる。例示的な実施例においては、お気に入りリスト中の２つのサービスを囲むボックスの間の空間に挿入される水平バー３９の形であるマーカは、その選択されたサービスが、お気に入りリストの一部を形成する場合に、お気に入りリストにおいて入れられるであろう場所を示す。つまり、マーカは、お気に入りリストを順序付けるために使用されたのと同じ基準に基づいて、選択されたサービスの、お気に入りリストにおける順位を示す。図３では、同一の基準とは、サービスの識別番号である。
【００３７】
必要である場合には、お気に入りリストの表示は、選択されたサービスが挿入されるようマークが付けられた場所を含むリストの一部を示すよう変更される。
【００３８】
マーカをスクロールバー３５上に配置することも可能である。
【００３９】
お気に入りリスト以外のサービスが選択される際に、ユーザがアップ又はダウンキーを動かすと、そのお気に入りリスト以外の選択されたサービス（識別番号２０４）より番号が早い上のサービス（サービス識別番号１０８）及び番号が遅い下のサービス（サービス識別番号４０３）がそれぞれ選択される。従って、ユーザは自分のお気に入りリストに戻ることとなる。お気に入りリストに戻るもう１つの方法としては、そのお気に入りリスト中のサービスの識別番号を直接入力することが挙げられる。
【００４０】
お気に入りリスト以外のサービスが選択される際に、ユーザが「ＯＫ」キーをアクティブにすると、アプリケーションは、このお気に入りリスト以外の選択されたサービスを全画面モードで表示する。
【００４１】
本発明において行われる一般的な方法は、図４に示すフローチャートにより説明される。
【００４２】
本願に示す例示的な実施例はサービスのリストに関連するが、本発明は、例えば、イベント、或いは、オーディオ、ビデオ、又は、データファイルといった他のエレメントのリストにも適用可能である。
【図面の簡単な説明】
【図１】本発明の例示的な実施例によるデジタルテレビジョンデコーダを示すブロック図である。
【図２】お気に入りのサービスリストと選択されたサービスを表すためのウィンドウが共に表示されるユーザインタフェースページを表す例示的な画面を示す図である。
【図３】表示されている第１のサービスリストにはないサービスをユーザが選択したときの図２に示すユーザインタフェースページを表す例示的な画面を示す図である。
【図４】本発明の例示的な実施例による本発明の方法のフローチャートである。
【符号の説明】
１  アンテナ
２  チューナ
３  復調器
４  補正回路
５  デマルチプレクサ
６  バッファメモリ
７  デクリプタ
８  ベリファイアマイクロコントローラ
９  マイクロプロセッサ用インタフェース
１０  マイクロプロセッサカード
１１  リモートコントローラ
１２  メモリ
１３  モデム
１４  交換電話網
１５  文字生成部
１６  オーディオデコーダ
１７  ビデオデコーダ
１８  テレテキストデコーダ
１９  多重化回路
２０  ビデオレコーダ
２１  テレビ受像機
２２  マイクロプロセッサ
２３  赤外線インタフェース
２４  ユーザインタフェースモジュール
３０  お気に入りリスト
３１  ウィンドウ
３２  選択されたサービス
３３  ３２を囲むボックス
３４  ウィンドウ
３５  垂直バー
３６  カーソル
３７、３８  二重矢印
３９  水平バー
【図１】
0004822656.tif 000002
【図２】
0004822656.tif 000003
【図３】
0004822656.tif 000004
【図４】
0004822656.tif 000005